(57)【要約】【課題】弁体を円滑に移動させ得て、その弁体の移動による温調動作を安定して行い得る湯水混合弁を提供する。【解決手段】水側弁部２２及び湯側弁部２４を備えた弁体２０の軸方向の一方の移動により水，湯の流入比率を変化させる湯水混合弁１０において、水側弁部２２の外周面の、保持溝１０２から水側弁座５８とは反対側の軸端に到る部分に、径方向外方に突出する突条１０８を周方向の複数個所に設けて、突条１０８を弁ケース１２に対する摺動ガイドとなす一方、突条１０８と突条１０８との間の部分に、保持溝１１２から軸端に到る軸方向の凹所１１０を形成する。【選択図】        図１
2008202701.tif 000002
【特許請求の範囲】
【請求項１】
(イ)弁ケースに軸方向に離隔して設けられた水流入口及び湯流入口と、(ロ)該水流入口，湯流入口に対応して軸方向に離隔して設けられ、外周面の周方向に延びる環状の保持溝に該弁ケースの内周面に弾性接触するシール部材がそれぞれ保持された筒状の水側弁部及び湯側弁部を備え、該弁ケース内で軸方向に移動可能に設けられた弁体と、(ハ)該弁ケースに設けられ、該水側弁部，湯側弁部をそれぞれ軸方向に当接させる水側弁座，湯側弁座と、(ニ)前記水流入口及び湯流入口からの水及び湯を流入させて混合する混合室と、(ホ)該混合室内の混合水温度に感応して軸方向に伸縮し、前記弁体の位置調節を自動的に行う感温体と、(ヘ)該感温体を収縮させる方向に該弁体を付勢するバイアスばねと、を有し、該弁体の軸方向の一方の移動により前記水流入口の開度を小さく，前記湯流入口の開度を大きく変化させ、該弁体の逆方向の移動により該湯流入口の開度を小さく、該水流入口の開度を大きく変化させることによって水，湯の流入比率を変化させる湯水混合弁において
少なくとも前記水側弁部の外周面の、前記保持溝から前記水側弁座とは反対側の軸端に到る部分に、径方向外方に突出する突条を周方向の複数個所に設けて、該突条を該水側弁部の前記弁ケースの内周面に対する摺動ガイドとなす一方、該突条と突条との間の部分に前記保持溝から前記軸端に到る凹所を形成したことを特徴とする湯水混合弁。
【請求項２】
(イ)弁ケースに軸方向に離隔して設けられた水流入口及び湯流入口と、(ロ)該水流入口，湯流入口に対応して軸方向に離隔して設けられ、外周面の周方向に延びる環状の保持溝に該弁ケースの内周面に弾性接触するシール部材がそれぞれ保持された筒状の水側弁部及び湯側弁部を備え、該弁ケース内で軸方向に移動可能に設けられた弁体と、(ハ)該弁ケースに設けられ、該水側弁部，湯側弁部をそれぞれ軸方向に当接させる水側弁座，湯側弁座と、(ニ)前記水流入口及び湯流入口からの水及び湯を流入させて混合する混合室と、(ホ)該混合室内の混合水温度に感応して軸方向に伸縮し、前記弁体の位置調節を自動的に行う感温体と、(ヘ)該感温体を収縮させる方向に該弁体を付勢するバイアスばねと、を有し、該弁体の軸方向の一方の移動により前記水流入口の開度を小さく，前記湯流入口の開度を大きく変化させ、該弁体の逆方向の移動により該湯流入口の開度を小さく、該水流入口の開度を大きく変化させることによって水，湯の流入比率を変化させる湯水混合弁において
少なくとも前記水側弁部の外周面の、前記水側弁座とは反対側の軸端部を径方向外向きの環状の突出部となして、該突出部を該水側弁部の前記弁ケースの内周面に対する摺動ガイドとなす一方、該外周面の前記保持溝から該突出部までの部分を該突出部に対して小径をなす小径部とし、該小径部と前記弁ケースの内周面との間に環状凹所を形成してあることを特徴とする湯水混合弁。
【請求項３】
請求項２において、前記水側弁部の前記保持溝と前記突出部との間の部分に、前記環状凹所と連通した径方向の貫通孔が設けてあることを特徴とする湯水混合弁。
【発明の詳細な説明】
【技術分野】
【０００１】
この発明は湯水混合弁に関し、特に混合室に感温体を備えた自動温度調節機能付きの湯水混合弁に関する。
【背景技術】
【０００２】
従来、湯水混合弁として混合室に感温体を備えて成る自動温度調節機能付き（サーモスタット式）のものが広く用いられている。
この自動温度調節機能付きの湯水混合弁として次のようなもの、即ち(イ)弁ケースに軸方向に離隔して設けられた水流入口及び湯流入口と、(ロ)水流入口，湯流入口に対応して軸方向に離隔して設けられ、外周面の周方向に延びる環状の保持溝に弁ケースの内周面に弾性接触するシール部材がそれぞれ保持された筒状の水側弁部及び湯側弁部を備え、弁ケース内で軸方向に移動可能に設けられた弁体と、(ハ)弁ケースに設けられ、水側弁部，湯側弁部をそれぞれ軸方向に当接させる水側弁座，湯側弁座と、(ニ)水流入口及び湯流入口からの水及び湯を流入させて混合する混合室と、(ホ)混合室内の混合水温度に感応して軸方向に伸縮し、弁体の位置調節を自動的に行う感温体と、(ヘ)感温体を収縮させる方向に弁体を付勢するバイアスばねと、を有し、弁体の軸方向の一方の移動により水流入口の開度を小さく，湯流入口の開度を大きく変化させ、弁体の逆方向の移動により湯流入口の開度を小さく、水流入口の開度を大きく変化させることによって水，湯の流入比率を変化させる湯水混合弁が公知である。
図６はその具体例を示している。
【０００３】
同図において２００，２０２は弁ケース２０４に形成された水流入口，湯流入口であり、２０６は軸方向に離隔して設けられた水側弁部２０８，湯側弁部２１０及びそれらを軸方向に連繋する連繋部２１２を備えた弁体で、弁ケース２０４内に軸方向に移動可能に設けられている。
弁ケース２０４には、水側弁部２０８，湯側弁部２１０に各対応して、それぞれの軸方向内側位置に水側弁座２１４，湯側弁座２１６が設けられており、それらに対し水側弁部２０８，湯側弁部２１０がそれぞれ当接するようになっている。
【０００４】
ここで水側弁部２０８，湯側弁部２１０はそれぞれ円筒形状をなしている。
図６の部分拡大図に示しているように、水側弁部２０８には外周面の軸方向中間位置に、周方向に連続した環状の保持溝２３２が形成されていて、そこに弾性を有する断面Ｕ字状のシール部材２３４が保持されている。
水側弁部２０８と弁ケース２０４との間は、このシール部材２３４が弁ケース２０４の内周面に弾性接触することで水密にシールされる。
ここでシール部材２３４は図中右向きに、即ち凹部を水流入口２００とは反対側の図中右に向けて設けられている。
【０００５】
水側弁部２０８は、保持溝２３２から図中右側の部分が、左側の部分に対し大径をなしている。詳しくは、保持溝２３２から水側弁座２１４とは反対側の軸端に到る部分が、水側弁座２１４側の図中左側の軸端から保持溝２３２までの部分に対して全体的に大径をなしており、その大径部２３６が、弁ケース２０４の内周面に対して摺動する摺動ガイドを成している。
【０００６】
その結果水側弁部２０８は、保持溝２３２の図中右側の大径部分が、図中左側の小径部分に対し段付形状をなしている。図中２３８は、その大径部２３６における図中左端の径方向の段付面を表している。
【０００７】
尚、湯側弁部２１０にもまた、その外周面の軸方向中間位置に環状の保持溝２４０が形成されていて、そこに弾性を有する断面Ｕ字状のシール部材２４２が保持され、このシール部材２４２にて湯側弁部２１０と弁ケース２０４との間が水密にシールされている。
但しこの湯側弁部２１０においては、断面Ｕ字状をなすシール部材２４２が湯流入口２０２の側に向けて（詳しくは凹部を湯流入口２０２の側に向けて）設けられている（水側弁部２０８ではシール部材２３４が水流入口２００とは反対側に向けて設けられている）。
【０００８】
湯側弁部２１０は、この保持溝２４０よりも図中左側部分が右側部分に対し全体的に大径とされており、その大径部２４４が、弁ケース２０４の内周面を摺動する摺動ガイドを成している。
【０００９】
弁体２０６は、バイアスばね２２０にて図中左向き、即ち水側弁部２０８を閉弁させる方向に付勢されており、また混合室２２２内に設けられた形状記憶合金から成る感温ばね２２４により、これとは反対方向の図中右向き、即ち湯側弁部２１０を閉弁させる方向に付勢されている。
【００１０】
尚、弁体２０６の連繋部２１２は断面形状が概略十字状をなしており、中心部から放射方向に延び出した板状部２２６と２２６との間に、水流入口２００から流入した水を混合室２２２に向けて軸方向に流通させる内部通路２２８が形成されている。
【００１１】
尚、湯流入口２０２を通じて内部に流入した湯は、混合室２２２へと図中左向きに流れ、その混合室２２２で水と湯とが混合された上で、混合水が吐水部に向けて左方向に流出する。
【００１２】
２３０は回転操作軸で、この回転操作軸を回転操作することでバイアスばね２２０の付勢力が強く又は弱く変更され、これにより弁体２０６の図中左右方向の位置、詳しくはバイアスばね２２０と感温ばね２２４との付勢力の釣合い位置が左右方向にシフトせしめられる。即ち湯水混合弁における混合水の温度が所望温度に設定されないしは設定変更される。
【００１３】
この湯水混合弁では、弁体２０６が図中左向きに一杯まで移動して水側弁部２０８が水側弁座２１４に当接することで、水流入口２００が全閉、湯流入口２０２が全開となり、また逆方向に一杯まで移動して湯側弁部２１０が湯側弁座２１６に当接することで、湯流入口２０２が全閉，水流入口２００が全開状態となる。
【００１４】
またそれらの中間位置において水流入口２００及び湯流入口２０２を開き且つその開度を変化させて水，湯の流入量を変化させる。
具体的には、湯側弁部２１０が全閉、水側弁部２０８が全開状態の下で回転操作軸２３０を回転（正方向回転）操作すると、バイアスばね２２０の付勢力が強まって弁体２０６が図中左方向にシフトさせられる。
そしてそのシフトした状態においてバイアスばね２２０による左向きの付勢力と、感温ばね２２４による右向きの付勢力とが釣合った状態となり、その状態で水流入口２００及び湯流入口２０２から流入する水と湯の混合水の温度が変動すると、これに伴って感温ばね２２４が付勢力を増減させ、感温ばね２２４が軸方向の伸縮を伴って弁体２０６を左右方向に微動させる。これにより混合水の温度が設定温度に維持される。
【００１５】
また一方回転操作軸２３０を逆方向に回転操作すると、バイアスばね２２０の付勢力が低下し、これにより弁体２０６が図中右向きにシフトさせられる。そしてそのシフト位置において感温ばね２２４の温度感知に基づく付勢力の増減によって混合水温度が調節される。
この種形式の自動温度調節機能付きの湯水混合弁については、例えば下記特許文献１に開示されている。
【００１６】
ところでこの湯水混合弁にあっては、水流入口２００から流入した水は主として図７中矢印Ｐ１で示す方向に沿って流れ、混合室２２２へと到るが、その一部が水側弁部２０８における大径部２３６と弁ケース２０４の内周面との間の微小なクリアランス（隙間）を通じて図７中矢印Ｐ２で示す方向に流れることができる（シール部材２３４の向きは図中右向きである）。
【００１７】
この場合、図７中矢印Ｐ２で示す方向に流れる水にごみや砂等の異物が混入していると、大径部２３６と弁ケース２０４との間のクリアランスが微小であるために、図７（Ａ）に示しているようにそこに異物が噛み込まれてしまうことがあり、而してそのような噛込みが生じると水側弁部２０８、即ち弁体２０６が弁ケース２０４に対し固着を起してしまって円滑に移動ができなくなり、弁体２０６の移動による温調動作に支障を来したり、或いは温調動作が不安定となってしまう問題を生ずる。
【００１８】
更にこの湯水混合弁にあっては、（Ｂ）に示しているように水流入口２００から高圧力で図中矢印Ｐ２方向に水が流れたとき、その流動圧で水側弁部２０８が図中右向きに押され、或いは大径部２３６と弁ケース２０４との間の微小なクリアランスを水が流動する際の粘性により弁体２０６の移動が影響を受け、弁体２０６の移動による温調動作が不安定化するといった問題も生じていた。
【００１９】
【特許文献１】特開２００１−４０５０号公報
【発明の開示】
【発明が解決しようとする課題】
【００２０】
本発明は以上のような事情を背景とし、弁体を円滑に移動させ得て、その弁体の移動による温調動作を安定して行い得る湯水混合弁を提供することを目的としてなされたものである。
【課題を解決するための手段】
【００２１】
而して請求項１のものは、(イ)弁ケースに軸方向に離隔して設けられた水流入口及び湯流入口と、(ロ)該水流入口，湯流入口に対応して軸方向に離隔して設けられ、外周面の周方向に延びる環状の保持溝に該弁ケースの内周面に弾性接触するシール部材がそれぞれ保持された筒状の水側弁部及び湯側弁部を備え、該弁ケース内で軸方向に移動可能に設けられた弁体と、(ハ)該弁ケースに設けられ、該水側弁部，湯側弁部をそれぞれ軸方向に当接させる水側弁座，湯側弁座と、(ニ)前記水流入口及び湯流入口からの水及び湯を流入させて混合する混合室と、(ホ)該混合室内の混合水温度に感応して軸方向に伸縮し、前記弁体の位置調節を自動的に行う感温体と、(ヘ)該感温体を収縮させる方向に該弁体を付勢するバイアスばねと、を有し、該弁体の軸方向の一方の移動により前記水流入口の開度を小さく，前記湯流入口の開度を大きく変化させ、該弁体の逆方向の移動により該湯流入口の開度を小さく、該水流入口の開度を大きく変化させることによって水，湯の流入比率を変化させる湯水混合弁において、少なくとも前記水側弁部の外周面の、前記保持溝から前記水側弁座とは反対側の軸端に到る部分に、径方向外方に突出する突条を周方向の複数個所に設けて、該突条を該水側弁部の前記弁ケースの内周面に対する摺動ガイドとなす一方、該突条と突条との間の部分に前記保持溝から前記軸端に到る凹所を形成したことを特徴とする。
【００２２】
請求項２のものは、(イ)弁ケースに軸方向に離隔して設けられた水流入口及び湯流入口と、(ロ)該水流入口，湯流入口に対応して軸方向に離隔して設けられ、外周面の周方向に延びる環状の保持溝に該弁ケースの内周面に弾性接触するシール部材がそれぞれ保持された筒状の水側弁部及び湯側弁部を備え、該弁ケース内で軸方向に移動可能に設けられた弁体と、(ハ)該弁ケースに設けられ、該水側弁部，湯側弁部をそれぞれ軸方向に当接させる水側弁座，湯側弁座と、(ニ)前記水流入口及び湯流入口からの水及び湯を流入させて混合する混合室と、(ホ)該混合室内の混合水温度に感応して軸方向に伸縮し、前記弁体の位置調節を自動的に行う感温体と、(ヘ)該感温体を収縮させる方向に該弁体を付勢するバイアスばねと、を有し、該弁体の軸方向の一方の移動により前記水流入口の開度を小さく，前記湯流入口の開度を大きく変化させ、該弁体の逆方向の移動により該湯流入口の開度を小さく、該水流入口の開度を大きく変化させることによって水，湯の流入比率を変化させる湯水混合弁において、少なくとも前記水側弁部の外周面の、前記水側弁座とは反対側の軸端部を径方向外向きの環状の突出部となして、該突出部を該水側弁部の前記弁ケースの内周面に対する摺動ガイドとなす一方、該外周面の前記保持溝から該突出部までの部分を該突出部に対して小径をなす小径部とし、該小径部と前記弁ケースの内周面との間に環状凹所を形成してあることを特徴とする。
【００２３】
請求項３のものは、請求項２において、前記水側弁部の前記保持溝と前記突出部との間の部分に、前記環状凹所と連通した径方向の貫通孔が設けてあることを特徴とする。
【発明の作用・効果】
【００２４】
以上のように本発明は、少なくとも水側弁部の外周面の、保持溝から水側弁座とは反対側の軸端に到る部分に、径方向外方に突出する突条を周方向の複数個所に設けて、その突条を弁ケースに対する摺動ガイドとなす一方、突条と突条との間の部分に、保持溝から軸端に到る凹所を形成したもので、本発明によれば、水流入口から流れ込んだ水がシール部材を超えて水側弁座とは反対方向に流れるとき、水側弁座の外周面に形成した突条と突条との間の凹所を水通路として軸方向に通過することができる。
【００２５】
このとき、水に混入していたごみや砂等の異物もまた、その凹所を通じて水側弁部と弁ケースとの間を水とともに通過することができ、従って水に混入していた異物が水側弁部の外周面と弁ケースの内周面の間に噛み込まれてしまって水側弁部、ひいては弁体が弁ケースに対し固着を起してしまい、弁体の移動による温調動作が不安定化したり、温調動作に支障を来すといった従来の問題を解決でき、弁体の円滑な移動による安定した温調動作を確保することが可能となる。
【００２６】
また水流入口から流入した水が同方向に流れる際に、水側弁部に作用する流動圧も小さくできるとともに、水側弁部と弁ケースとの間を水が流れるときの水の粘性による水側弁部、即ち弁体に対する影響も可及的に小さく抑制でき、これらによってその弁体の移動による温調動作を円滑に安定して行わせることが可能となる。
【００２７】
次に請求項２は、水側弁部の外周面の、水側弁座とは反対側の軸端部を径方向外向きの環状の突出部となして、その突出部を弁ケースに対する摺動ガイドとなす一方、その外周面の保持溝から突出部までの部分を小径部となして、その小径部と弁ケースの内周面との間に環状凹所を形成したもので、この場合、異物の混入した水がシール部材を越えて水側弁部と弁ケースとの間に流れ込んだ場合であっても、その異物を環状凹所内に収容することができ、かかる異物が水側弁部と弁ケースとの間に噛み込んでしまい、その異物の噛込みが弁体の移動による温調動作を不安定化する問題を解決することができる。即ち弁体の円滑な移動を確保し得て、安定した温調動作を確保することが可能となる。
【００２８】
この場合において、水側弁部の保持溝と突出部との間の部分に上記の環状凹所と連通した径方向の貫通孔を設けておくことが望ましい（請求項３）。
このようにしておけば、環状凹所内に入り込んだ異物を、その貫通孔を通じて水側弁部の内側に速やかに排出することが可能となり、環状凹所内に異物が残留して次第にその量が増すことにより、終にはその異物を噛み込むに到ってしまうといった問題を回避することができる。
【００２９】
また環状凹所内に入り込んだ水を、貫通孔を通じて水側弁部の内側に排出することができるために水側弁部、詳しくは環状の突出部に作用する流動圧を小さくでき、また水の粘性による水側弁部の移動に対する影響を小さく抑制し得て、弁体の移動による温調動作をより一層安定したものとなすことができる。
【発明を実施するための最良の形態】
【００３０】
次に本発明の実施形態を図面に基づいて詳しく説明する。
図１において、１０は本実施形態の自動温度調節機能付き（サーモスタット式）の湯水混合弁で、１２は円筒形状をなす弁ケースである。
弁ケース１２は、第１部材１２-１と第２部材１２-２とを有しており、それらが軸方向にねじ結合されている。
ここで第１部材１２-１と第２部材１２-２との間は、シール部材としての弾性を有するＯリング１４にて水密にシールされている。
【００３１】
弁ケース１２には、軸方向に互いに離隔した位置に水流入口１６，湯流入口１８が弁ケース１２を内外に貫通する状態で形成されており、これら水流入口１６，湯流入口１８を通じて水，湯が弁ケース１２内部に流入するようになっている。
弁ケース１２の内部には、弁体２０が図中左右方向（軸方向）に移動可能に設けられている。
弁体２０は、軸方向に離隔して設けられた水側弁部２２と湯側弁部２４及びそれらを軸方向に連繋する連繋部２６を有している。
【００３２】
連繋部２６は、中心部の円筒部２８と、円筒部２８の外周面から全体として十字状をなすように放射状に延びる複数（ここでは４つ）の板状のアーム３０を有している。
各アーム３０と３０との間は、水流入口１６から流入した水及び湯流入口１８から流入した湯を混合室３４に向けて流通する内部通路３２をなしている。
【００３３】
混合室３４に流入した水と湯とは、そこで混合された上、流出部３６を通じて図中左向きに流出する。
混合室３４には、形状記憶合金製のコイル形状の感温ばね３８が収容されており、その付勢力を弁体２０に対し図中右向きに、即ち湯側弁部２４を閉弁させ、水側弁部２２を開弁させる方向に及ぼしている。
【００３４】
この形状記憶合金製の感温ばね３８は、混合室３４内部の混合水温度に応じて伸縮し、図中右向きの付勢力を変化させる。そしてそのことによって、混合水温度が設定温度となるように弁体２０の位置を自動的に微調節する。
【００３５】
４０は混合室３４を形成するとともに感温ばね３８の一端を当接させるばね受で、図中右端に外向きの係合爪４２を有し、その係合爪４２を、第１部材１２-１の係合孔４４に係合させる状態に第１部材１２-１に組み付けられている。
【００３６】
この実施形態において、弁体２０における連繋部２６は湯側弁部２４と一体に構成され、この連繋部２６に対し、これとは別体をなす水側弁部２２が嵌合状態で組み付けられている。
詳しくは、図２にも示しているように連繋部２６における円筒部２８の内部には雌ねじ部５０が形成されている。
【００３７】
一方、水側弁部２２には断面円形の嵌合部４６と、内向きのフランジ部４８とが備えられており、その嵌合部４６が連繋部２６の図中右端に外嵌状態に嵌合されている。そしてその状態で後述の弁軸１００の先端部に形成された雄ねじ部５２が、連繋部２６の雌ねじ部５０に図中左向きにねじ込まれている。
【００３８】
ここで弁軸１００には、環状溝５４に径方向に弾性を有する止め輪（ここではＥリング）５６が装着されており、弁軸１００の雄ねじ部５２を円筒部２８の内側の雌ねじ部５０にねじ込むことによって、水側弁部２２が止め輪５６にて連繋部２６に図中左向きに押え付けられ、湯側弁部２４と一体の連繋部２６に強固に組付固定されている。
【００３９】
弁ケース１２には、水側弁部２２，湯側弁部２４の軸方向の各内側位置に、水側弁部２２，湯側弁部２４に各対応した水側弁座５８，湯側弁座６０が設けられており、それらに対し水側弁部２２，湯側弁部２４が軸方向に当接するようになっている。
この水側弁座５８に水側弁部２２が当接した状態が、水側弁部２２の閉弁状態であり、また湯側弁座６０に湯側弁部２４が軸方向に当接した状態が、湯側弁部２４の閉弁状態となる。
【００４０】
図１に示しているように弁ケース１２には、回転操作軸６２が組み付けられている。
この回転操作軸６２は、弁体２０を弁ケース１２の内部で軸方向即ち図中左右方向に移動させて、混合水温度を設定操作するためのもので、嵌合軸部６３と、ハンドル連結部６４とを有しており、その嵌合軸部６３が弁ケース１２の嵌合孔６６に回転可能に内嵌されている。ここで嵌合軸部６３と弁ケース１２の嵌合孔６６との間はＯリング６８にて水密にシールされている。
【００４１】
また弁ケース１２から軸方向の右方に突き出したハンドル連結部６４には、セレーション部７０において図示を省略するハンドルが一体回転状態に連結されるようになっている。
【００４２】
回転操作軸６２は、弁ケース１２の内部において大径の円筒部７２を有しており、その円筒部７２の図中右端の肩部と、回転操作軸６２に装着された径方向に弾性を有する止め輪７４にて、弁ケース１２を軸方向に挟み込んでいる。
【００４３】
この円筒部７２の内周面には雌ねじ部７８が形成され、そこに円筒形状をなす駆動部材８０が外周面の雄ねじ部８２において螺合されている。
この駆動部材８０は、回転操作軸６２の回転操作によってねじ送りで軸方向即ち図中左右方向に進退移動する。
【００４４】
この駆動部材８０と弁体２０との間には、ストッパリング８４，ばね受８６を介して通常の金属製のコイルばねからなるバイアスばね８８が介在させられており、そのバイアスばね８８が弁体２０に対し、感温ばね３８とは逆向きの図中左向きに付勢力を及ぼしている。
詳しくは湯側弁部２４を開弁させ、また水側弁部２２を閉弁させる方向に、弁体２０に対し付勢力を及ぼしている。
【００４５】
尚、ばね受８６には図中左端と右端とに内向きのフランジ部９０，９２が設けられている。
一方駆動部材８０には、図中左端に外向きのフランジ部９４が設けられ、この外向きのフランジ部９４が、一対のフランジ部９０，９２の間においてばね受８６内部を図中左右方向に相対移動可能とされている。
また駆動部材８０には、内向きに突出した段付部９６が設けられていて、そこにストッパリング８４が図中右向きに当接させられている。
【００４６】
弁体２０からは図中右向きに弁軸１００が延び出している。
弁軸１００の右端側はストッパリング８４を貫通して図中右向きに突出しており、その突出した端部に、ストッパリング８４の内径よりも大径の頭部９８が設けられている。
この頭部９８には、弁軸１００における上記の雄ねじ部５２を連繋部２６の雌ねじ部５０にねじ込む際に、工具掛け部となる係合溝が形成されている。
【００４７】
この実施形態では、回転操作軸６２を正方向に回転操作すると、駆動部材８０がねじ送り作用で図中左向きに前進させられ、これによりストッパリング８４を介してバイアスばね８８が圧縮せしめられ、弁体２０に対する図中左向きの付勢力を増大させる。
また回転操作軸６２を逆方向に回転操作すると、駆動部材８０が図中右向きに後退移動させられて、バイアスばね８８が延びる方向に変位し、弁体２０に対する図中左向きの付勢力を弱くする。
【００４８】
この実施形態の湯水混合弁１０では、このようにして回転操作軸６２を正方向又は逆方向に回転操作することで、弁体２０がバイアスばね８８の図中左向きの付勢力と、感温ばね３８による図中右向きの付勢力とが釣合う位置に左右方向にシフトせしめられる。即ち湯水混合弁１０における混合水の温度が設定ないし設定変更される。
【００４９】
詳しくは、この湯水混合弁１０では弁体２０が図中左向きに一杯まで移動して、水側弁部２２が水側弁座５８に当接することで水流入口１６が全閉、湯流入口１８が全開となり、弁体２０が逆方向に一杯まで移動して湯側弁部２４が湯側弁座６０に当接することで湯流入口１８が全閉、水流入口１６が全開状態となる。
またそれらの中間位置において水流入口１６及び湯流入口１８を開き、且つその開度を感温ばね３８の温度感知に基づいて自動的に変化させ、水，湯の流入量を変化させて混合水温度を自動的に設定温度に調節する。
【００５０】
図２及び図３に示しているように、水側弁部２２の外周面の軸方向中間位置には、周方向に連続した環状の保持溝１０２が設けられていて、そこに断面Ｕ字状をなす弾性を有するシール部材１０４が装着されている。
ここでシール部材１０４は図中右向きに、即ち凹部を水流入口１６とは反対側に向けて組み付けられている。
【００５１】
この水側弁部２２の外周面の図中左端部、即ち水側弁座５８側の軸端部には、径方向に突出した環状の突出部１０６が設けられている。
ここで突出部１０６は、弁ケース１２の内径とほぼ同径ないし若干小径とされている。そして水側弁部２２の外周面における突出部１０６と保持溝１０２との間の部分は突出部１０６に対し小径をなしている。
【００５２】
一方、水側弁部２２における外周面の保持溝１０２よりも図中右側部分、即ち保持溝１０２と水側弁座５８と反対側の軸端との間の部分には、径方向外方に突出する突条１０８が周方向に所定間隔ごとに複数個所（ここでは６個所）に設けられている。
ここで各突条１０８は、保持溝１０２から図中右側の軸端に到る全長に亘って形成されている。
またこれら突条１０８は、図３（Ｂ）に示しているように断面形状が、径方向外方に向って幅の細くなる山形状をなしている。
【００５３】
これら突条１０８は、水側弁部２２が弁ケース１２内を軸方向に移動する際に、弁ケース１２の内周面を摺動して水側弁部２２の移動案内をなす。即ち突条１０８は弁ケース１２に対する水側弁部２２の摺動ガイドをなすもので、この実施形態ではこれら突条１０８が断面山形状をなしていることから、各突条１０８は弁ケース１２の内周面に対しほぼ線接触する。従って各突条１０８が摺動ガイドを行う際の摺動抵抗は小さい。
尚各突条１０８は、その突出高さが弁ケース１２の内面とほぼ接するように設定されている。
【００５４】
水側弁部２２における外周面のうち、保持溝１０２よりも図中右側の部分の突条１０８と１０８との間の部分は、保持溝１０２から図中右側の軸端に到るまで軸方向に延びる凹所１１０とされている。
【００５５】
一方、図２に示しているように湯側弁部２４においてもまた、その外周面の軸方向中間位置に、周方向に連続した環状の保持溝１１２が形成されていて、そこに断面Ｕ字状をなすシール部材１１４が装着されている。
但しこの湯側弁部２４においては、シール部材１１４がその凹部を湯流入口１８に向けて組み付けられている。
【００５６】
従って湯側弁部２４においては、湯流入口１８から流入した湯がこのシール部材１１４を越えて図中左向き、即ち混合室３４側に流れることは困難である。湯流入口１８からの湯の流れによって断面Ｕ字状をなすシール部材１１４が径方向外方に開く向きに変形させられて、シール力を高めるからである。
【００５７】
この湯側弁部２４においては、外周面の保持溝１１２よりも図中右側の部分、即ち湯側弁座６０に近い側の部分の軸端部に、径方向外方に突出した環状の突出部１１６が設けられており、そしてその突出部１１６と保持溝１１２との間の部分が突出部１１６に対し小径をなしている。
この突出部１１６もまた、弁ケース１２の内径とほぼ同径ないし僅かに小径とされ、従ってこの突出部１１６と保持溝１１２との間の部分は、弁ケース１２の内周面との間に一定の大きな環状の隙間を形成する。
【００５８】
一方、湯側弁部２４における外周面の保持溝１１２よりも図中左側の部分、即ち湯側弁座６０とは反対側の部分は、図中右側の部分よりも大径とされている。図中１１８はその大径部を表している。
この大径部１１８は、湯側弁部２４の弁ケース１２に対する摺動ガイドをなすもので、かかる湯側弁部２４が弁ケース１２の内周面を軸方向に移動する際に、この大径部１１８が弁ケース１２の内面を摺動して移動案内をなす。
従ってこの大径部１１８は、弁ケース１２の内周面にほぼ接する径とされている。
【００５９】
以上のような本実施形態によれば、図４に示しているように水流入口１６から流れ込んだ水がシール部材１０４を超えて水側弁座５８とは反対のＰ２方向に流れるとき、水側弁部２２の外周面に形成した突条１０８と突条１０８との間の凹所１１０を大きな水通路として軸方向に通過することができる。
【００６０】
このとき、図４に示しているように水に混入していたごみや砂等の異物もまた、その凹所１１０を通じて水側弁部２２と弁ケース１２との間を水とともに通過することができ、従って水に混入していた異物が、水側弁部２２の外周面と弁ケース１２の内周面の間に噛み込まれてしまって水側弁部２２、ひいては弁体２０が弁ケース１２に対し固着を起してしまい、弁体２０の移動による温調動作が不安定化したり、温調動作に支障を来すといった従来の問題を解決でき、弁体２０の円滑な移動による安定した温調動作を確保することが可能となる。
また水流入口１６から流入した水がＰ２方向に流れる際に、水側弁部２２に作用する流動圧も小さくできるとともに、水側弁部２２と弁ケース１２との間を水が流れるときの水の粘性による水側弁部２２、即ち弁体２０に対する影響も可及的に小さく抑制でき、これらによってその弁体２０の移動による温調動作を円滑に安定して行わせることが可能となる。
【００６１】
次に図５は本発明の他の実施形態を示している。
この実施形態において、水側弁部２２の外周面の図中右側の軸端部、即ち水側弁座５８とは反対側の軸端部が、径方向外向きの環状の突出部１１９とされ、その突出部１１９が、水側弁部２２の弁ケース１２の内周面に対する摺動ガイドとされる一方、その外周面の保持溝１０２から突出部１１９までの部分が、突出部１１９に対し小径をなす小径部とされており、その小径部と弁ケース１２の内周面との間に環状凹所１２０を形成するようになしてある。
【００６２】
更に水側弁部２２には、保持溝１０２と突出部１１９との間の部分に、環状の凹所１２０と連通した径方向の貫通孔１２２が周方向の複数個所に設けてある。
尚この実施形態においても、水側弁部２２における摺動ガイドとなる突出部１１９は、弁ケース１２の内面にほぼ接する外径となしてある。
【００６３】
本実施形態においても、異物の混入した水がシール部材１０４を越えて水側弁部２２と弁ケース１２との間に流れ込んだ場合であっても、その異物を環状凹所１２０内に収容することができ、かかる異物が水側弁部２２と弁ケース１２との間に噛み込んでしまい、その異物の噛込みが弁体２０の移動による温調動作を不安定化する問題を解決することができる。即ち弁体２０の円滑な移動を確保し得て、安定した温調動作を確保することが可能となる。
【００６４】
またこの場合において、水側弁部２２の保持溝１０２と突出部１０６との間の部分に、上記の環状凹所１２０と連通した径方向の貫通孔１２２を設けてあるため、環状凹所１２０内に入り込んだ異物を、その貫通孔１２２を通じて水側弁部２２の内側に速やかに排出することが可能となり、環状凹所１２０内に異物が残留して次第にその量が増すことにより、終にはその異物を噛み込むに到ってしまうといった問題を回避することができる。
【００６５】
また環状凹所１２０内に入り込んだ水を、貫通孔１２２を通じて水側弁部２２の内側に排出することができるために、水側弁部２２詳しくは環状の突出部１０６に作用する流動圧を小さくでき、また水の粘性による水側弁部２２の移動に対する影響を小さく抑制し得て、弁体２０の移動による温調動作をより一層安定したものとなすことができる。
【００６６】
以上本発明の実施形態を詳述したが、これはあくまで一例示である。
例えば本発明を湯側弁部に適用することも可能であるし、また第１の実施形態において突条１０８は保持溝１０２と軸端との間の全長に亘って形成してあるが、場合によってこれよりも短い長さで突条１０８を形成するといったことも可能であり、また突条１０８と突条１０８との間に、凹所１１０と連通した径方向の貫通孔を設けても良い。
更に突条１０８は、上記実施形態では軸方向と平行方向に延びているが、場合によって軸方向に対し若干傾いていても良く、更に第２の実施形態では環状凹所１２０に連通した貫通孔１２２が設けてあるが、場合によってこの貫通孔１２２を省略することも可能である等、本発明はその趣旨を逸脱しない範囲において種々変更を加えた形態で構成可能である。
【図面の簡単な説明】
【００６７】
【図１】本発明の一実施形態である湯水混合弁の断面図である。
【図２】同実施形態における要部を分解して示す断面図である。
【図３】同実施形態における水側弁部の単品図である。
【図４】同実施形態の作用説明図である。
【図５】本発明の他の実施形態における水側弁部をその作用とともに示した図である。
【図６】従来の湯水混合弁の一例を示す図である。
【図７】図６の湯水混合弁の不具合を説明するための図である。
【符号の説明】
【００６８】
１０  湯水混合弁
１２  弁ケース
１６  水流入口
１８  湯流入口
２０  弁体
２２  水側弁部
２４  湯側弁部
３４  混合室
３８  感温ばね
５８  水側弁座
６０  湯側弁座
８８  バイアスばね
１０２，１１２  保持溝
１０４，１１４  シール部材
１０８  突条
１１０  凹所
１１６，１１９  突出部
１２０  環状凹所
１２２  貫通孔
【図１】
2008202701.tif 000003
【図２】
2008202701.tif 000004
【図３】
2008202701.tif 000005
【図４】
2008202701.tif 000006
【図５】
2008202701.tif 000007
【図６】
2008202701.tif 000008
【図７】
2008202701.tif 000009